(57)【要約】      （修正有）【課題】携帯電話のカメラやデジタルカメラで撮した写真、またパソコンや手で描いた絵を手軽に見栄え良く飾るために同体の残り部分に折り紙の要領で組立る額縁を設け、またその額縁にも色付けが可能である、１枚のシートから形成する組立額及びそれに関するシートを提供する。【解決手段】底板１の一方の相対向する両辺に外方向へ側板２、額縁板３、内側板４と他方の相対向する両辺に外方向へ側板５、額縁板６、内側板７と形成し、それを組立てるため、接着片、差し込み片７ａ、連結袖片４ｂ、フラップ２ａを設け、内側に巻き付けるようにして組立てる紙箱型の額とそれに関するシートである。【選択図】図１
2005335356.tif 000002
【特許請求の範囲】
【請求項１】
底板１の一方の相対向する両辺から外方向へ側板２、額縁板３、内側板４及び接着片４ａを形成するとともに、他方の相対向する両辺から外方向へ側板５、額縁板６、内側板７及び差し込み片７ａを形成し、隣り合う各板の間に折り曲げ線ａ〜ｊを形成（図面１参照）、折り曲げ線ｂ、ｄを基準に内側へ折り曲げ、接着片４ａの裏面を底板１の表面に貼着（図面３、４参照）、そして両側の側板２、額縁板３、内側板４及び連結袖片４ｂ、フラップ２ａを直角に起し、その連結袖片４ｂ内にある差違え溝４ｃ同士を差し込んで連結する（図面５参照）、そして相対する側板５、額縁板６、内側板７及び差し込み片７ａを連結袖片４ｂ、フラップ２ａを巻き付けるようにして、差し込み片７ａを底板１と連結袖片４ｂのすき間に差し込み（図面６参照）、係止片７ｂを内側板４の角へ引っかけて組立完了（図面７、８参照）、身フタを作ればパッケージとしても利用できることを特徴とする、やや厚手の１枚のシートからなる組立額である。材質範囲は印刷や色付けが可能なシート全てとする。
【請求項２】
所定のシート内に収まるサイズで請求項目１の形態を設計し、形態以外の余白部分は、印刷機に切れ目が引っ掛からないようにミシン目にし、また底板１の中央に絵の範囲線Ａの部分を備え、そこへ携帯電話のカメラやデジタルカメラで撮した写真、またパソコンや手で描いた絵を載せる（図面２参照）、側板２、５、額縁板３、６、内側板４、７の額縁側にも印刷や色付けが可能、したがって自由に印刷や色付けが可能とすることを特徴とする組立額縁を一体化させた印刷シートまたは画材シートである。
【請求項３】
請求項１、２の形態をＡ４両面印刷シートまたは画材シートに、絵の範囲線Ａの部分をハガキサイズし、また壁などに容易に飾れるようにするため、飾り付け吊り下げ片Ｂを備え、その他にも余白部分には額縁に接着して飾るためのハート形、花形、星形、楕円形、リボン形の飾り形Ｃを備えた（図面９参照）、そこにも同様に印刷や色付けが可能でタイトルやメッセージ等も記入することが出来ることを特徴とする組立額に飾り形と飾り付け吊り下げ片を付け加えたシートである。
【請求項４】
請求項目１、２、３の形態をスケッチブックに利用することを特徴とする組立額付きスケッチブックである（図面１０参照）。
【発明の詳細な説明】
【技術分野】
【０００１】この発明は印刷可能または絵が描ける一枚のシートに折り紙の要領で組み立てる立体額縁を取り付けた組立額及びそのシートに関する。
【背景技術】
【０００２】従来、携帯電話のカメラやデジタルカメラで撮した写真またはパソコンや手で描いた作品を壁等に見栄えよく飾るには額が必要で額も別に購入して準備しなくてはならなかった。
【発明が解決しようとする課題】
【０００３】しかしながら殆ど人が絵、写真を飾らずにデータ保存のみか、印刷してアルバムやファイル等に保管して済ましていた。
そこでこの発明は、額を折り紙型にし一枚のシートに絵と額縁を一体化して収めることによって印刷機で印刷が可能となる、額縁にも色付けが可能な組立額及びそれに関するシートを提供することを課題とする。
【発明が解決するための手段】
【０００４】以上の発明を解決するために、第一発明は一枚のシートに絵または写真の部分と折り紙の要領で組立だれる立体額を一体化したことを特徴とする。
また、第二発明はその組立て立体額の形状である。
【発明の効果】
【０００５】第一発明、第二発明よれば、一枚のシートに収まることによって、印刷機を通すことが可能となり、全面の色付けが出来ることによってオリジナル性の強い作品を作ることが出来、しかも軽量で壁などに簡単に飾ることができ、それにコストも安いので気軽にプレゼントしたり出来る。
【発明を実施するための最良の形態】
【０００６】請求項１での発明は額の形状を表していることを前提に、請求項１の望ましい実施の形態を図１に基づいて説明する。図１は本発明に係る組立額縁付き額の展開状態を示す、中央の底板１の一方に相対向する両辺から外方向へ側板２、額縁板３、内側板４及び接着片４ａを形成するとともに、他方の相対向する両辺から外方向へ側板５、額縁板６、内側板７及び差し込み片７ａを形成し、隣り合う各面の間に折り曲げ線ａ〜ｊを形成、側板２、内側板４の両隣には連結袖片４ｂ、フラップ２ａが備えてある。材質範囲は印刷や色付けが可能なシート全てとする。【０００７】組立に関しては、折り曲げ線ｂ、ｄを基準に内側へ折り曲げ、接着片４ａの裏面を底板１の表面に貼着（図面３、４参照）、そして両側の側板２、額縁板３、内側板４及び連結袖片４ｂ、フラップ２ａを直角に起し、その連結袖片４ｂ内にある差違え溝４ｃ同士を差し込んで連結する（図面５参照）、そして相対する側板５、額縁板６、内側板７及び差し込み片７ａを連結袖片４ｂ、フラップ２ａを巻き付けるようにして、差し込み片７ａを底板１と連結袖片４ｂのすき間に差し込み（図面６参照）、係止片７ｂを内側板４の角へ引っかけて組立完了（図面７、８参照）。【０００８】請求項２での発明の望ましい実施の形態を図１、２に基づいて説明する。請求項１の形態を所定のシートサイズに設計し合わせる、本発明の形態サイズは縮小、拡大とは限らず、額縁と絵部分の比率や額縁の幅、高さは状況によって変更することを自由とする。【０００９】形態の端の切り取り線は、簡単に抜け落ちないようにするためミシン目を入れ、折り曲げ線ａ〜ｊは折り曲げ目を同様に入れる、１枚のシートを長方形または正方形のままにすることによって印刷機で刷ることが出来る。【００１０】印刷または色付けに関しては、絵を載せる部分は底板１の中央に絵の範囲線Ａがその範囲にあたる、また額縁の印刷面は側板２、５、額縁板３、６、内側板４、７の裏面になる。よって絵を印刷する際はシート表印刷、額縁面を印刷する際はシート裏印刷となる。手で描く時も同様である。【００１１】組立に関しては【０００７】と同様である。【００１２】請求項３での発明の望ましい実施の形態を図９に基づいて説明する。請求項２の形態をＡ４両面印刷シートまたは画材シートにし、絵の範囲線Ａはハガキサイズである。【００１３】壁などに容易に飾れるようにするため飾り付け吊り下げ片Ｂを備え、また余白部分には額縁に接着して飾るためのハート形、花形、星形、楕円形、リボン形の飾り形Ｃを備えてある（図面９参照）、飾り形Ｃもミシン目を入れ手で切り取れるようにする。【００１４】印刷または色付けに関しては、【００１０】と同様で、余白に備えた飾り形Ｃも印刷または色付けが可能である。【００１５】組立に関しては【０００７】と同様で、余白に備えた飾り形Ｃは好みによって利用したらよい、付け方は切り取って好みの場所に接着する。【００１６】請求項４での発明の望ましい実施の形態を図１０に基づいて説明する。請求項１〜３の形態を画材シートのスケッチブックに備える、スケッチブックのサイズまた形態サイズや材質は特定しない。
【図面の簡単な説明】
【００１７】
【図１】本発明の実施形態の展開を示した平面図。
【図２】図１に絵の範囲線Ａへ絵を印刷した状態を示す平面図。
【図３】図２に折り曲げ線ｂ、ｄを基準に内側へ折り曲げ、接着片４ａの裏面を底板１の表面に貼着状態を示した上面図。
【図４】図３を示した状態の断面図。
【図５】左右の連結袖片４ｂを直角に起こし、差違え溝４ｃ同士を連結した状態を示す斜視図。
【図６】挿し込み片７ａを連結袖片４ｂと底板１のすき間に差し込んだ状態の段階を示す断面図。
【図７】７図の差し込み後の状態を示す透過図。
【図８】実施形態の組立て完了状態を示す斜視図。
【図９】実施形態をＡ４サイズ収め、絵の範囲線Ａをハガキサイズにして、吊り下げ片Ｂ、飾り形Ｃを備えた状態を示す平面図。
【図１０】実施形態をスケッチブックに備えた状態を示す斜視図。
【符号の説明】
【００１８】１  底板                ２、５  側板
３、６  額縁板          ４、７  内側板
２ａ  フラップ          ４ａ  接着片
４ｂ  連結袖片          ４ｃ  差違え溝
７ａ  差し込み片        ７ｂ  係止片
Ａ  絵の範囲線          Ｂ  吊り下げ片
Ｃ  飾り形              ａ〜ｊ  折り曲げ線
【図１】
2005335356.tif 000003
【図２】
2005335356.tif 000004
【図３】
2005335356.tif 000005
【図４】
2005335356.tif 000006
【図５】
2005335356.tif 000007
【図６】
2005335356.tif 000008
【図７】
2005335356.tif 000009
【図８】
2005335356.tif 000010
【図９】
2005335356.tif 000011
【図１０】
2005335356.tif 000012